(57)【特許請求の範囲】
【請求項１】
紙製ハンドキャリア容器において、
上方が開口する４つの側板と、
４つの側板の下方に設けられた底板と、
対向する第１の一対の側板の各々の中央に連結され、第１の一対の側板に対して直交して延びる把持板と、
把持板の両面に連結され、把持板に対して直交して延びるとともに、対応する第２の一対の側板の各々に連結される複数の仕切板とを備え、
把持板は互いに重なる一対の把持板パネルからなり、一方の把持板パネルは第１の一対の側板の一方に当該一方の側板に重なる一方の補強パネルを介して連結され、他方の把持板パネルは第１の一対の側板の他方に当該他方の側板に重なる他方の補強パネルを介して連結され、
一方の把持板パネルの内面、または他方の把持板パネルの内面に、当該紙製ハンドキャリア容器を特定する情報を含むＩＤコードが設けられていることを特徴とする紙製ハンドキャリア容器。
【請求項２】
紙製ハンドキャリア容器において、
上方が開口する４つの側板と、
４つの側板の下方に設けられた底板と、
対向する第１の一対の側板の各々の中央に連結され、第１の一対の側板に対して直交して延びる把持板と、
把持板の両面に連結され、把持板に対して直交して延びるとともに、対応する第２の一対の側板の各々に連結される複数の仕切板とを備え、
把持板は互いに重なる一対の把持板パネルからなり、一方の把持板パネルは第１の一対の側板の一方に当該一方の側板に重なる一方の補強パネルを介して連結され、他方の把持板パネルは第１の一対の側板の他方に当該他方の側板に重なる他方の補強パネルを介して連結され、
一方の補強パネルの内面または他方の補強パネルの内面、あるいは一方の補強パネルに重なる一方の側板の内面または他方の補強パネルに重なる他方の側板の内面に、当該紙製ハンドキャリア容器を特定する情報を含むＩＤコードが設けられていることを特徴とする紙製ハンドキャリア容器。
【請求項３】
一方の把持板パネルまたは他方の把持板パネルに、当該把持板パネルを切り取って開き、ＩＤコードを外方へ露出させる切取線が設けられていることを特徴とする請求項１記載の紙製ハンドキャリア容器。
【請求項４】
一方の補強パネルまたは他方の補強パネルに、当該補強パネルを切り取って開き、ＩＤコードを外方へ露出させる切取線が設けられていることを特徴とする請求項２記載の紙製ハンドキャリア容器。
【請求項５】
切取線は断継的に形成された複数の切目線からなることを特徴とする請求項３または４のいずれか記載の紙製ハンドキャリア容器。
【請求項６】
切取線は複数のミシン目からなることを特徴とする請求項３または４のいずれか記載の紙製ハンドキャリア容器。
【発明の詳細な説明】
【技術分野】
【０００１】
本発明は缶ビール、缶ジュースおよび清涼飲料水用缶等の内容物を収納する紙製ハンドキャリア容器に係り、とりわけ当該紙製ハンドキャリア容器を特定するＩＤコードが設けられた紙製ハンドキャリア容器に関する。
【背景技術】
【０００２】
従来より缶ビール、缶ジュースおよび清涼飲料水用缶等の内容物を収納して保持するため、紙製ハンドキャリア容器が用いられている。このような紙製ハンドキャリア容器を作製する際、当該紙製ハンドキャリア容器に、ＩＤコードが付されることがある。このような紙製ハンドキャリア容器に付されるＩＤコードは、紙製ハンドキャリア容器および内容物の購入者がキャンペーンに応募する際に用いられ、購入者はこのＩＤコードをインターネット上に入力してキャンペーンに応募している。
【０００３】
紙製ハンドキャリア容器に付されるＩＤコードは、一般にインクジェットを用いて印刷されたり、レーザー光を照射して印刷されたりしている。
【０００４】
しかしながら紙製ハンドキャリア容器にＩＤコードを印刷する場合、紙製ハンドキャリア容器に印刷されたＩＤコードの位置によっては、ＩＤコードが購入者以外の人に容易に認識されてしまうという問題もある。
【先行技術文献】
【特許文献】
【０００５】
【特許文献１】特開２００５−２９８０１８号公報
【特許文献２】特開２００７−１６１２９１号公報
【発明の概要】
【発明が解決しようとする課題】
【０００６】
本発明はこのような点を考慮してなされたものであり、とりわけ購入者以外の人に容易に認識できないＩＤコードを有する紙製ハンドキャリア容器を提供することを目的とする。
【課題を解決するための手段】
【０００７】
本発明は、紙製ハンドキャリア容器において、上方が開口する４つの側板と、４つの側板の下方に設けられた底板と、対向する第１の一対の側板の各々の中央に連結され、第１の一対の側板に対して直交して延びる把持板と、把持板の両面に連結され、把持板に対して直交して延びるとともに、対応する第２の一対の側板の各々に連結される複数の仕切板とを備え、把持板は互いに重なる一対の把持板パネルからなり、一方の把持板パネルは第１の一対の側板の一方に当該一方の側板に重なる一方の補強パネルを介して連結され、他方の把持板パネルは第１の一対の側板の他方に当該他方の側板に重なる他方の補強パネルを介して連結され、一方の把持板パネルの内面、または他方の把持板パネルの内面に、当該紙製ハンドキャリア容器を特定する情報を含むＩＤコードが設けられていることを特徴とする紙製ハンドキャリア容器である。
【０００８】
本発明は、紙製ハンドキャリア容器において、上方が開口する４つの側板と、４つの側板の下方に設けられた底板と、対向する第１の一対の側板の各々の中央に連結され、第１の一対の側板に対して直交して延びる把持板と、把持板の両面に連結され、把持板に対して直交して延びるとともに、対応する第２の一対の側板の各々に連結される複数の仕切板とを備え、把持板は互いに重なる一対の把持板パネルからなり、一方の把持板パネルは第１の一対の側板の一方に当該一方の側板に重なる一方の補強パネルを介して連結され、他方の把持板パネルは第１の一対の側板の他方に当該他方の側板に重なる他方の補強パネルを介して連結され、一方の補強パネルの内面または他方の補強パネルの内面、あるいは一方の補強パネルに重なる一方の側板の内面または他方の補強パネルに重なる他方の側板の内面に、当該紙製ハンドキャリア容器を特定する情報を含むＩＤコードが設けられていることを特徴とする紙製ハンドキャリア容器である。
【０００９】
本発明は、一方の把持板パネルまたは他方の把持板パネルに、当該把持板パネルを切り取って開き、ＩＤコードを外方へ露出させる切取線が設けられていることを特徴とする紙製ハンドキャリア容器である。
【００１０】
本発明は、一方の補強パネルまたは他方の補強パネルに、当該補強パネルを切り取って開き、ＩＤコードを外方へ露出させる切取線が設けられていることを特徴とする紙製ハンドキャリア容器である。
【００１１】
本発明は、切取線は断継的に形成された複数の切目線からなることを特徴とする紙製ハンドキャリア容器である。
【００１２】
本発明は、切取線は複数のミシン目からなることを特徴とする紙製ハンドキャリア容器である。
【発明の効果】
【００１３】
以上のように本発明によれば、一方の把持板パネル内面または他方の把持板パネル内面にＩＤコードが設けられているので、一方の把持板パネルまたは他方の把持板パネルを切り取りＩＤコードの内容を確認することができる。この場合、ＩＤコードは一方の把持板パネルの内面または他方の把持板パネルの内面に設けられているので、購入者以外の第３者にＩＤコードが見られることはなく、使用中に内容物によってＩＤコードが擦られて剥離したり脱落することはない。またＩＤコードは外方から保護されるので、インキの種類に制限はなく、各種のインキを用いてＩＤコードを印字することができる。
【００１４】
また一方の複数パネルの内面、これに重なる側板の内面、他方の補強パネルの内面、またはこれに重なる側板の内面にＩＤコードが設けられているので、一方の補強パネルまたは他方の補強パネルを切り取りＩＤコードの内容を確認することができる。この場合、ＩＤコードは一方の補強パネルの内面、これに重なる側板の内面、他方の補強パネルの内面、またはこれに重なる側板の内面に設けられているので、購入者以外の第３者にＩＤコードが見られることはなく、内容物を収容して輸送する場合に内容物の外壁がＩＤコード接触しないのでＩＤコードが擦られて剥離したり脱落することはない。またＩＤコードは外方から保護されるので、インキの種類に制限はなく各種のインキを用いてＩＤコードを印字することができる。
【図面の簡単な説明】
【００１５】
【図１】図１は本発明による紙製ハンドキャリア容器の第１の実施の形態を示す斜視図。
【図２】図２は図１に示す紙製ハンドキャリア容器を構成するブランク材を示す図。
【図３】図３は本発明による紙製ハンドキャリア容器の第２の実施の形態を示す斜視図。
【図４】図４は図３に示す紙製ハンドキャリア容器を構成するブランク材を示す図。
【発明を実施するための形態】
【００１６】
第１の実施の形態
以下、図面を参照して本発明の第１の実施の形態について説明する。
【００１７】
図１および図２は本発明による紙製ハンドキャリア容器の第１の実施の形態を示す図である。
【００１８】
図１および図２に示すように、紙製ハンドキャリア容器１０は、複数例えば４本の内容物１を収納して保持するものであり、収納保持された４本の内容物１を搬送することができる。
【００１９】
この場合、４本の内容物１としては、缶ビール、缶ジュース、缶チューハイ、または清涼飲料水用缶等が挙げられる。
【００２０】
次に紙製ハンドキャリア容器１０について詳述する。
【００２１】
紙製ハンドキャリア容器１０は、上方からみて四角形状を有しており、上方が開口した４つの側板１１ａ、１１ｂ、１１ｃ、１１ｄと、４つの側板１１ａ、１１ｂ、１１ｃ、１１ｄの下方に設けられた底板１２とを備えている。
【００２２】
このうち側板１１ａ、１１ｃが対向する第１の一対の側板１１ａ、１１ｃを構成し、側板、１１ｂ、１１ｄが対向する第２の一対の側板１１ｂ、１１ｄを構成する。
【００２３】
また対向する第１の一対の側板１１ａ、１１ｃの各々の中央に、第１の一対の側板１１ａ、１１ｃに対して直交して延びる把持板１３が連結され、さらに把持板１３の両面に把持板１３に対して直交して延びるとともに対応する第２の一対の側板１１ｂ、１１ｄの各々に連結される複数、例えば２つの仕切板１５ａ、１５ｂが取付けられている。なお、把持板１３には指を挿入する把持口１９が開口している。
【００２４】
図１において、一対の仕切板１５ａ、１５ｂが把持板１３に取付けられており、一方の仕切板１５ａは第２の一対の側板１１ｂ、１１ｄのうち一方の側板１１ｂに連結され、他方の仕切板１５ｂは第２の一対の側板１１ｂ、１１ｄのうち他方の側板１１ｄに連結されている。
【００２５】
図１において把持板１３は４つの側板１１ａ、１１ｂ、１１ｃ、１１ｄ内を２つの領域に仕切っており、一対の仕切板１５ａ、１５ｂはこの２つの領域を更に各々２つに仕切っている。このため４つの側板１１ａ、１１ｂ、１１ｃ、１１ｄ内は、把持板１３と一対の仕切板１５ａ、１５ｂによって４つの領域１１Ａに仕切られており、各領域１１Ａ内に内容物１が収納保持されている。
【００２６】
また把持板１３は互いに重なる一対の把持板パネル１３ａ、１３ｂからなっている。また一方の把持板パネル１３ａは第１の一対の側板１１ａ、１１ｃのうちの一方の側板１１ａに、この側板１１ａに重なる一方の補強パネル１４ａを介して連結されている。さらに他方の把持板パネル１３ｂは第１の一対の側板１１ａ、１１ｃのうちの他方の側板１１ｃに、この側板１１ｃに重なる他方の補強パネル１４ｂを介して連結されている。
【００２７】
ところで、図１において、把持板１３の一方の把持板パネル１３ａの内面、または他方の把持板パネル１３ｂの内面に、紙製ハンドキャリア容器１０を特定する情報を含むＩＤコード１７が設けられている。図１において、ＩＤコード１７は他方の把持板パネル１３ｂの内面に設けられているが、一方の把持板パネル１３ａの内面に設けられていてもよい。
【００２８】
図１に示すように、一方の把持板パネル１３ａの内面、あるいは他方の把持板パネル１３ｂの内面にＩＤコード１７が設けられているため、内容物１が収納された紙製ハンドキャリア容器１０を購入した購入者は、一方の把持板パネル１３ａあるいは他方の把持板パネル１３ｂに設けられた切取線１８に沿って一方の把持板パネル１３ａあるいは他方の把持板パネル１３ｂを切り取って開く。そして購入者は一方の把持板パネル１３ａあるいは他方の把持板パネル１３ｂの内面に設けられたＩＤコード１７を外方へ露出させ、その内容を確認することができる。その後、購入者は、ＩＤコード１７の内容を確認した後、キャンペーンに参加することができる。
【００２９】
このようにＩＤコード１７は、一方の把持板パネル１３ａあるいは他方の把持板パネル１３ｂの内面に設けられているため、ＩＤコード１７を確認するためには、一方の把持板パネル１３ａあるいは他方の把持板パネル１３ｂを切取線１８に沿って切り取って開く必要があるので、購入者以外の第３者がＩＤコード１７の内容を確認することはむずかしい。
【００３０】
またＩＤコード１７は、一方の把持板パネル１３ａあるいは他方の把持板パネル１３ｂの内面に設けられているため、内容物を収納して輸送中にＩＤコード１７が内容物１の外壁により擦られてＩＤコード１７の一部または全部が剥離したり、脱落したりすることはない。また,冷蔵等によって内容物の周囲が結露した場合にも内容物１の外壁とＩＤコード１７は接触していないので,インキの種類に制限されることなく印字を行うことができる。
【００３１】
次に紙製ハンドキャリア容器１０を作製するためのブランク材２０について説明する。  紙製ハンドキャリア容器１０は、図２に示すブランク材２０を組立てることにより得られる。
【００３２】
すなわち、ブランク材２０は紙製ハンドキャリア容器１０の４つの側板１１ａ、１１ｂ、１１ｃ、１１ｄに対応する４つの側板パネル側板２１ａ、２１ｂ、２１ｃ、２１ｄと、底板１２を構成する底板パネル側板２２ａ、２２ｂ、２２ｃ、２２ｄと、把持板１３を構成する把持板パネル側板１３ａ、１３ｂとを有する。この場合、ブランク材２０としては、あらゆる種類の紙製材料を用いることができる。
【００３３】
底板パネル側板２２ａ、２２ｂ、２２ｃ、２２ｄは、各々対応する各側板パネル側板２１ａ、２１ｂ、２１ｃ、２１ｄに折曲線２７を介して連結されている。また側板パネル２１ｄには破断線２８を介して、紙製ハンドキャリア容器１０の仕切板１５ｂに対応する仕切板パネル２５ｂが設けられ、把持板パネル１３ａはこの仕切板パネル２５ｂに破断線２８を介して設けられている。
【００３４】
図２において、折曲予定線となる折曲線２７と、予め破断されている破断線２８が示されている。
【００３５】
また、側板パネル２１ｄには、把持板パネル１３ａを補強する一方の補強パネル１４ａが破断線２８を介して設けられている。
【００３６】
さらに、側板パネル２１ａ、２１ｂの上方中央部に、把持板パネル１３ｂが取付けられている。この場合、側板パネル２１ａに破断線２８を介してＩＤコード表示領域１７Ａが設けられている。このＩＤコード表示領域１７Ａは、把持板パネル１３ｂの下方領域裏面にあり、このＩＤコード表示領域１７Ａに（把持板パネル１３ｂの下方領域内面に）ＩＤコード１７が設けられている。ＩＤコード１７は紙製ハンドキャリア容器を特定する文字、数字等の情報を含んでおり、レーザープリンタあるいはインクジェット等により、ＩＤコード表示領域１７に付される。そしてＩＤコード表示領域１７Ａを囲んで把持板パネル１３ｂを容易に切り取ることができる切取線１８が設けられている。
【００３７】
この切取線１８は、断続的に破断された複数の切目線からなっているか、又は複数のミシン目からなっている。
【００３８】
さらに側板パネル２１ｂの上方左側には破断線２８を介して、紙製ハンドキャリア容器１０の仕切板１５ａに対応する仕切板パネル２５ａが設けられている。さらに側板パネル２１ｂの上方右側には破断線２８を介して、把持板パネル１３ｂを補強する他方の補強パネル１４ｂが設けられている。
【００３９】
次にブランク材２０の組立て方法について述べる。
【００４０】
図２に示すブランク材２０は、折曲線２７を介して折曲げられ、容器状に組立てられる。次に底板パネル２２ａ、２２ｄの接着領域Ａ同士が接着され、底板パネル２２ｂ、２２ｃの接着領域Ｂ同士が接着される。
【００４１】
図２において、実線で囲まれたＡは、表面に接着領域Ａがあることを示し、破線で囲まれたＡは裏面に接着領域Ａがあることを示す。以下接着領域Ｂ、Ｃ、Ｄ、Ｅ、Ｆ、Ｇについても同様である。
【００４２】
同様にして接着領域Ｃ同士が接着され、接着領域Ｄ同士が接着され、接着領域Ｅ同士が接着され、接着領域Ｆ同士が接着され、接着領域Ｇ同士が接着される。
【００４３】
このようにして、図１に示すような紙製ハンドキャリア容器１０が得られる。本実施例では,把持パネル13a,13bを接着領域Ｅで接着しているが,接着しなくてもよい。
【００４４】
内容物が収納された紙製ハンドキャリア容器１０を購入した購入者は、切取線１８に沿って把持板１３ｂを切り取って開き、把持板１３ｂ内面に付されたＩＤコード１７の内容を確認し、ＩＤコード１７の内容を確認した後にキャンペーンに参加することができる。
【００４５】
なお、上述のようにＩＤコード１７は、把持板１３ｂの内面に設ける場合に限らず、把持板１３ａの内面に設けてもよい。
【００４６】
第２の実施の形態
次に本発明の第２の実施の形態について説明する。
【００４７】
図３および図４は本発明による紙製ハンドキャリア容器の第２の実施の形態を示す図である。
【００４８】
図３および図４に示すように、紙製ハンドキャリア容器１０は、複数例えば４本の内容物１を収納して保持するものであり、収納保持された４本の内容物１を搬送することができる。
【００４９】
この場合、４本の内容物１としては、缶ビール、缶ジュース、缶チューハイ、または清涼飲料水用缶等が挙げられる。
【００５０】
次に紙製ハンドキャリア容器１０について詳述する。
【００５１】
紙製ハンドキャリア容器１０は、上方からみて四角形状を有しており、上方が開口した４つの側板１１ａ、１１ｂ、１１ｃ、１１ｄと、４つの側板１１ａ、１１ｂ、１１ｃ、１１ｄの下方に設けられた底板１２とを備えている。
【００５２】
このうち側板１１ａ、１１ｃが対向する第１の一対の側板１１ａ、１１ｃを構成し、側板、１１ｂ、１１ｄが対向する第２の一対の側板１１ｂ、１１ｄを構成する。
【００５３】
また対向する第１の一対の側板１１ａ、１１ｃの各々の中央に、第１の一対の側板１１ａ、１１ｃに対して直交して延びる把持板１３が連結され、さらに把持板１３の両面に把持板１３に対して直交して延びるとともに対応する第２の一対の側板１１ｂ、１１ｄの各々に連結される複数、例えば２つの仕切板１５ａ、１５ｂが取付けられている。なお、把持板１３には指を挿入する把持口１９が開口している。
【００５４】
図３において、一対の仕切板１５ａ、１５ｂが把持板１３に取付けられており、一方の仕切板１５ａは第２の一対の側板１１ｂ、１１ｄのうち一方の側板１１ｂに連結され、他方の仕切板１５ｂは第２の一対の側板１１ｂ、１１ｄのうち他方の側板１１ｄに連結されている。
【００５５】
図３において把持板１３は４つの側板１１ａ、１１ｂ、１１ｃ、１１ｄ内を２つの領域に仕切っており、一対の仕切板１５ａ、１５ｂはこの２つの領域を更に各々２つに仕切っている。このため４つの側板１１ａ、１１ｂ、１１ｃ、１１ｄ内は、把持板１３と一対の仕切板１５ａ、１５ｂによって４つの領域１１Ａに仕切られており、各領域１１Ａ内に内容物１が収納保持されている。
【００５６】
また把持板１３は互いに重なる一対の把持板パネル１３ａ、１３ｂからなっている。また一方の把持板パネル１３ａは第１の一対の側板１１ａ、１１ｃのうちの一方の側板１１ａに、この側板１１ａに重なる一方の補強パネル１４ａを介して連結されている。さらに他方の把持板パネル１３ｂは第１の一対の側板１１ａ、１１ｃのうちの他方の側板１１ｃに、この側板１１ｃに重なる他方の補強パネル１４ｂを介して連結されている。
【００５７】
ところで、図３において、把持板１３の一方の補強パネル１４ａの内面、または他方の補強パネル１４ｂの内面に、紙製ハンドキャリア容器１０を特定する情報を含むＩＤコード１７が設けられている。図３において、ＩＤコード１７は他方の補強パネル１４ｂの内面に設けられているが、一方の補強パネル１４ａの内面に設けられていてもよい。さらにまた一方の補強パネル１４ａに重なる側板１１ａの内面、または他方の補強パネル１４ｂに重なる側板１１ｃの内面に、ＩＤコード１７を設けてもよい。
【００５８】
図３に示すように、一方の補強パネル１４ａの内面、あるいは他方の補強パネル１４ｂの内面にＩＤコード１７が設けられているため、内容物１が収納された紙製ハンドキャリア容器１０を購入した購入者は、一方の補強パネル１４ａあるいは他方の補強パネル１４ｂに設けられた切取線１８に沿って一方の補強パネル１４ａあるいは他方の補強パネル１４ｂを切り取って開く。そして購入者は、一方の補強パネル１４ａあるいは他方の補強パネル１４ｂの内面に設けられたＩＤコード１７を外方へ露出させ、その内容を確認することができる。その後、購入者は、ＩＤコード１７の内容を確認した後、キャンペーンに参加することができる。
【００５９】
このようにＩＤコード１７は、一方の補強パネル１４ａあるいは他方の補強パネル１４ｂの内面に設けられているため、ＩＤコード１７を確認するためには、一方の把持板パネル１３ａあるいは他方の把持板パネル１３ｂを切取線１８に沿って切り取って開く必要があるので、購入者以外の第３者がＩＤコード１７の内容を確認することはむずかしい。
【００６０】
またＩＤコード１７は、一方の補強パネル１４ａあるいは他方の補強パネル１４ｂの内面に設けられているため、内容物を収納して輸送中にＩＤコード１７が内容物１の外壁により擦られてＩＤコード１７の一部または全部が剥離したり、脱落したりすることはない。また,冷蔵等によって内容物の周囲が結露した場合にも内容物１の外壁とＩＤコード１７は接触していないので,インキの種類に制限されることなく印字を行うことができる。
【００６１】
次に紙製ハンドキャリア容器１０を作製するためのブランク材２０について説明する。  紙製ハンドキャリア容器１０は、図４に示すブランク材２０を組立てることにより得られる。
【００６２】
すなわち、ブランク材２０は紙製ハンドキャリア容器１０の４つの側板１１ａ、１１ｂ、１１ｃ、１１ｄに対応する４つの側板パネル側板２１ａ、２１ｂ、２１ｃ、２１ｄと、底板１２を構成する底板パネル側板２２ａ、２２ｂ、２２ｃ、２２ｄと、把持板１３を構成する把持板パネル側板１３ａ、１３ｂとを有する。この場合、ブランク材２０としては、あらゆる種類の紙製材料を用いることができる。
【００６３】
底板パネル側板２２ａ、２２ｂ、２２ｃ、２２ｄは、各々対応する各側板パネル側板２１ａ、２１ｂ、２１ｃ、２１ｄに折曲線２７を介して連結されている。また側板パネル２１ｄには破断線２８を介して、紙製ハンドキャリア容器１０の仕切板１５ｂに対応する仕切板パネル２５ｂが設けられ、把持板パネル１３ａはこの仕切板パネル２５ｂに破断線２８を介して設けられている。
【００６４】
図４において、折曲予定線となる折曲線２７と、予め破断されている破断線２８が示されている。
【００６５】
また、側板パネル２１ｄには、把持板パネル１３ａを補強する一方の補強パネル１４ａが破断線２８を介して設けられている。
【００６６】
さらに、側板パネル２１ａ、２１ｂの上方中央部に、把持板パネル１３ｂが取付けられている。
【００６７】
さらに側板パネル２１ｂの上方左側には破断線２８を介して、紙製ハンドキャリア容器１０の仕切板１５ａに対応する仕切板パネル２５ａが設けられている。さらに側板パネル２１ｂの上方右側には破断線２８を介して、把持板パネル１３ｂを補強する他方の補強パネル１４ｂが設けられている。
【００６８】
この場合、他方の把持板パネル１３ｂと他方の補強パネル１４ｂとの間に切取線１８が形成され、補強パネル１４ｂの裏面に、ＩＤコード表示領域１７Ａが設けられている。そしてこのＩＤコード表示領域１７Ａに（他方の補強パネル１４ｂの内面に）ＩＤコード１７が設けられている。ＩＤコード１７は紙製ハンドキャリア容器を特定する文字、数字等の情報を含んでおり、レーザープリンタあるいはインクジェット等により、ＩＤコード表示領域１７に付される。そして上述のようにＩＤコード表示領域１７Ａを囲んで他方の補強パネル１４ｂを容易に切り取ることができる切取線１８が設けられている。
【００６９】
この切取線１８は、断続的に破断された複数の切目線からなっているか、又は複数のミシン目からなっている。
【００７０】
次にブランク材２０の組立て方法について述べる。
【００７１】
図４に示すブランク材２０は、折曲線２７を介して折曲げられ、容器状に組立てられる。次に底板パネル２２ａ、２２ｄの接着領域Ａ同士が接着され、底板パネル２２ｂ、２２ｃの接着領域Ｂ同士が接着される。
【００７２】
図４において、実線で囲まれたＡは、表面に接着領域Ａがあることを示し、波線で囲まれたＡは裏面に接着領域Ａがあることを示す。以下接着領域Ｂ、Ｃ、Ｄ、Ｅ、Ｆ、Ｇについても同様である。
【００７３】
同様にして接着領域Ｃ同士が接着され、接着領域Ｄ同士が接着され、接着領域Ｅ同士が接着され、接着領域Ｆ同士が接着され、接着領域Ｇ同士が接着され、接着領域Ｇ同士が接着される。
【００７４】
このようにして、図３に示すような紙製ハンドキャリア容器１０が得られる。本実施例では,把持パネル13a,13bを接着領域Ｅで接着しているが,接着しなくてもよい。
【００７５】
内容物が収納された紙製ハンドキャリア容器１０を購入した購入者は、切取線１８に沿って補強パネル１４ｂを切り取って開き、補強パネル１４ｂ内面に付されたＩＤコード１７の内容を確認し、ＩＤコード１７の内容を確認した後にキャンペーンに参加することができる。
【００７６】
なお、上述のようにＩＤコード１７は、補強パネル１４ｂの内面に設ける場合に限らず、補強パネル１４ａの内面に、補強パネル１４ａに重なる側板１１ａの内面に、または補強パネル１４ｂに重なる側板１１ｃの内面に設けてもよい。
【００７７】
ＩＤコード１７を補強パネル１４ｂの内面または補強パネル１４ｂに重なる側板１１ｃ内面に設けた場合、補強パネル１４ｂを切取線１８に沿って切り取って開き、ＩＤコード１７の内容を確認する。
【００７８】
ＩＤコード１７を補強パネル１４ａの内面、または補強パネル１４ａに重なる側板１１ａの内面に設けた場合、補強パネル１４ａに切取線１８を設ける。そしてこの切取線１８に沿って補強パネル１４ａを切り取って開き、補強パネル１４の内面または側板１１ａの内面に設けられたＩＤコードの内容を確認することができる。
【符号の説明】
【００７９】
１０  紙製ハンドキャリア容器
１１ａ、１１ｂ、１１ｃ、１１ｄ  側板
１１Ａ  領域
１２  底板
１３  把持板
１３ａ、１３ｂ  把持板パネル
１４ａ、１４ｂ  補強パネル
１５ａ、１５ｂ  仕切板
１７  ＩＤコード
１７Ａ  ＩＤコード表示領域
１８  切取線
１９  把持口
２０  ブランク材
２１ａ、２１ｂ、２１ｃ、２１ｄ  側板パネル
２２ａ、２２ｂ、２２ｃ、２２ｄ  底板パネル
２５ａ、２５ｂ  仕切板パネル
２７  折曲線
２８  破断線
【図１】
0005533563.tif 000002
【図２】
0005533563.tif 000003
【図３】
0005533563.tif 000004
【図４】
0005533563.tif 000005